(57)【要約】【課題】  高所作業の軽減、構成部材の保管および現場施工の合理化を図り、地組み、移設および再構築が可能な折版屋根の施工方法を提供する。【解決手段】  母屋材１の上面に長手方向に沿ってタイトフレーム２を取付け、母屋材１の下面に折版接合ボルトが挿通可能な孔径のボルト逃がし孔を折版接合ボルトと同じピッチで形成してなる母屋・タイトフレーム組立部品３を準備する。母屋・タイトフレーム組立部品３を複数平行に配置し、この母屋・タイトフレーム組立部品３の各タイトフレーム２上に渡って折版５を配置し、折版接合ボルトで接合して屋根パネル６を組立てる。屋根パネル６の折版接合ボルトが母屋材１のボルト逃がし孔に挿入された状態で、屋根パネル６を複数枚積み重ね状態に保管する。屋根パネル６を持ち上げて梁９上に据え付ける。【選択図】        図２
2008127789.tif 000002
【特許請求の範囲】
【請求項１】
母屋材の上面に長手方向に沿って波山部が並ぶように波形の帯板からなるタイトフレームを取付け、前記タイトフレームの各波山部に上向きに突出する折版接合ボルトを設け、前記母屋材の下面に前記折版接合ボルトが挿通可能な孔径のボルト逃がし孔を前記折版接合ボルトと同じピッチで形成してなる母屋・タイトフレーム組立部品を複数準備する組立部品準備過程と、
前記母屋・タイトフレーム組立部品を複数平行に配置し、この平行に並べられた複数の母屋・タイトフレーム組立部品の各タイトフレーム上に渡って折版を配置し、前記折版接合ボルトで接合して屋根パネルに組み立てる屋根パネル組立過程と、
下段側に積まれる屋根パネルの折版接合ボルトが、上段側に積まれる屋根パネルの母屋材におけるボルト逃がし孔に挿入された状態で、前記屋根パネルを複数枚積み重ね状態に保管する積み重ね過程と、
この保管された屋根パネルを持ち上げて、構築途中の建物の梁上に据え付ける屋根パネル建込み過程とを含む、
折版屋根の施工方法。
【請求項２】
請求項１において、前記積み重ね状態に保管される屋根パネルのうち、下から２段目以上の各屋根パネルは、下段の屋根パネル上に前記各母屋・タイトフレーム組立部品を載せ、その上に折版を載せて、前記屋根パネルを組み立てる折版屋根の施工方法。
【請求項３】
請求項１または請求項２において、前記屋根パネル組立過程は、前記建物の構築される現場における地組みとする折版屋根の施工方法。
【発明の詳細な説明】
【技術分野】
【０００１】
この発明は、折版屋根の施工方法に関し、特に、長尺の折版屋根を施工する方法の改良に関する。
【背景技術】
【０００２】
従来より、店舗、特に移設型店舗や工場等の建物には重ね式の長尺折版葺きによって屋根の施工が多くなされていた。このような重ね式長尺折版葺き屋根の施工は、タイトフレームを小屋梁等に先に取付け、その後、長尺折版を小屋上に荷揚げし、小屋上で長尺折版葺きを行っていた。また、タイトフレームの折版接合ボルト（剣先ボルト）用孔の孔明けは、小屋上でポンチを用いた打抜きによってなされることが多かった。
【特許文献１】特開２００２−２０１７６５号公報
【特許文献２】特開平１０−３０３００号公報
【発明の開示】
【発明が解決しようとする課題】
【０００３】
上記のような折版屋根の施工においては、次のような種々の課題がある。
長尺折版葺き作業が小屋上での高所作業となるため、安全性の点で問題がある。
高所作業が多いため、工期が長くなり、また構築途中の建物の屋根ができる時期が遅くなることから、現場での雨仕舞いも遅くなり、屋内作業を行える時期が遅くなる。
屋根の解体についても、部材単位に解体する必要があるため、移築や再構築が困難である。
折版接合ボルト用孔の孔明けがポンチの打抜きによってなされるから、打抜き部にバリが生じ、バリがひっかかって解体が行い難くなる上に、錆も発生し易く、孔明け部の耐久性が得られない。
長尺折版の荷揚げのためにだけクレーンを必要とし、クレーンの利用効率が悪い。
【０００４】
なお、折版屋根を屋根パネル化すると、工期の短縮等が図れ、移設も容易になるが、剣先ボルト等の折版接合ボルトが折版上に突出するため、地組みや移設時に屋根パネルを積み重ねることが難しく、介在物を用いることが必要で、手間が掛かる。
【０００５】
この発明の目的は、作業安全性の向上、工期の短縮、移設・再構築の容易化、折版孔明け部の耐久性の向上、屋根パネルの積載の容易化等が図れる折版屋根の施工方法を提供することである。
【課題を解決するための手段】
【０００６】
この発明に係る折版屋根の施工方法は、母屋材の上面に長手方向に沿って波山部が並ぶように波形の帯板からなるタイトフレームを取付け、前記タイトフレームの各波山部に上向きに突出する折版接合ボルトを設け、前記母屋材の下面に前記折版接合ボルトが挿通可能な孔径のボルト逃がし孔を前記折版接合ボルトと同じピッチで形成してなる母屋・タイトフレーム組立部品を複数準備する組立部品準備過程と、前記母屋・タイトフレーム組立部品を複数平行に配置し、この平行に並べられた複数の母屋・タイトフレーム組立部品の各タイトフレーム上に渡って折版を配置し、前記折版接合ボルトで接合して屋根パネルに組み立てる屋根パネル組立過程と、下段側に積まれる屋根パネルの折版接合ボルトが、上段側に積まれる屋根パネルの母屋材におけるボルト逃がし孔に挿入された状態で、前記屋根パネルを複数枚積み重ね状態に保管する積み重ね過程と、この保管された屋根パネルを持ち上げて、構築途中の建物の梁上に据え付ける屋根パネル建込み過程とを含むことを特徴とする。
【０００７】
この折版屋根の施工方法によると、母屋、タイトフレーム、折版を屋根パネルに組み立て、この屋根パネルを持ち上げて構築途中の建物の梁上に据え付けるようにしたため、高所作業となる小屋上での長尺折版葺き作業が無くなり、高所作業が、屋根パネルを梁上に据え付けるだけで済む。そのため作業安全性が向上する。また、外壁パネルや鉄骨の建方に引き続いて、屋根パネルを取付けるので、工期が短縮され、現場での雨仕舞いも早くなり、屋内作業を早く始めることができる。さらに、屋根パネル化するため、屋根パネル単位で解体することができ、移設・再構築が容易である。従来工法と異なり、折版接合ボルト部をポンチで打抜くこともないため、長尺折版の孔明け部の耐久性が向上する。
特に、この発明方法は、単に屋根パネル化するだけでなく、母屋材の下面に折版接合ボルトが挿通可能なボルト逃がし孔を設けるため、折版接合ボルトが邪魔となることなく、屋根パネルを複数枚積み重ねることができる。そのため、地組みや移設時の積載、さらには輸送を、容易に、かつ省スペースで、しかも安定的に行うことができる。
【０００８】
この発明において、前記積み重ね状態に保管される屋根パネルのうち、下から２段目以上の各屋根パネルは、下段の屋根パネル上に前記各母屋・タイトフレーム組立部品を載せ、その上に折版を載せて、前記屋根パネルを組み立てるようにしても良い。
この方法によると、各屋根パネルを個別に組み立てる場合のような広い作業スペースが不要であり、屋根パネルを組み立てながら、屋根パネルを複数枚積み重ね状態に保管する作業を同時に進行させることができ、効率的である。
【０００９】
この発明において、前記屋根パネル組立過程は、前記建物の構築される現場における地組み、つまり建物の構築される敷地内や敷地付近の地盤上での組立としても良い。
上述のように屋根パネルの組立が簡易であるから、現場における地組みが可能であり、これにより、現場作業の合理化が図れると共に、小屋上での長尺折版葺き作業がなくなり、作業の安全性が確保される。
【発明の効果】
【００１０】
この発明に係る折版屋根の施工方法は、母屋材の上面に長手方向に沿って波山部が並ぶように波形の帯板からなるタイトフレームを取付け、前記タイトフレームの各波山部に上向きに突出する折版接合ボルトを設け、前記母屋材の下面に前記折版接合ボルトが挿通可能な孔径のボルト逃がし孔を前記折版接合ボルトと同じピッチで形成してなる母屋・タイトフレーム組立部品を複数準備する組立部品準備過程と、前記複数の母屋・タイトフレーム組立部品を複数平行に配置し、この平行に並べられた複数の母屋・タイトフレーム組立部品の各タイトフレーム上に渡って折版を配置し、前記折版接合ボルトで接合して屋根パネルに組み立てる屋根パネル組立過程と、下段側に積まれる屋根パネルの折版接合ボルトが、上段側に積まれる屋根パネルの母屋材におけるボルト逃がし孔に挿入された状態で、前記屋根パネルを複数枚積み重ね状態に保管する積み重ね過程と、この保管された屋根パネルを持ち上げて、構築途中の建物の梁上に据え付ける屋根パネル建込み過程とを含む方法としたため、従来のような、小屋上での長尺折版葺き作業が不要とされ、作業の安全性が向上する。また、外壁パネルや鉄骨の建方に引き続いて、屋根パネルを取付けるので、工期が短縮され、現場での雨仕舞いも早くできて、屋内作業を早く始めることができる。さらに、屋根パネル単位で解体することができ、移設・再構築が容易である。また、従来工法のように、折版接合ボルト部をポンチで打抜くようなことがないため、長尺折版の孔明け部の耐久性が向上する。さらに、屋根パネルを、母屋材に設けたボルト逃がし孔を利用して複数枚積み重ねることができるので、地組みや移設時の積載、さらには輸送を、容易かつ省スペースで、しかも安定的に行うことができる。
【発明を実施するための最良の形態】
【００１１】
この発明に係る折版屋根の施工方法の一実施形態を、図１ないし図７と共に説明する。図１（Ａ）〜（Ｄ）は、この施工方法において順次行う組立部品準備過程、屋根パネル組立過程、積み重ね過程、および屋根パネル建込み過程をそれぞれ示す。
【００１２】
図１（Ａ）の組立部品準備過程では、母屋・タイトフレーム組立部品３、折板５、および付属部品１２を、１棟の屋根分だけ揃えて施工現場に搬入する。このとき、吊り治具７も搬入する。
母屋・タイトフレーム組立部品３は、図２に拡大して示すように、軽量形鋼等の横向きの溝形ないしリップ溝形鋼からなる母屋材１の上フランジ１ａの上面に、タイトフレーム２を溶接等により取付けたものである。タイトフレーム２は、長手方向に沿って波山部２ａが並ぶ台形の波形の帯鋼板等からなる。タイトフレームの各波山部２ａ…には、上向きに突出する折版接合ボルト４が溶接等により固定されたものとする。母屋材１の下面には、この折版接合ボルト４を挿通可能な孔径のボルト逃がし孔１ｄを折版接合ボルト４と同じピッチで形成する。ボルト逃がし孔１ｄは、下フランジ１ｂを貫通したものとする。この母屋・タイトフレーム組立部品３は、工場等で生産しておき、必要本数だけ現場に搬入する。
折板５は、波山５ａが３〜５個程度であり、波山に沿う方向の長さが数ｍないし十数ｍ程度となる長尺折板であって、タイトフレーム２の折版接合ボルト４が挿通される透孔５ｂが波山部５ａにドリル加工で形成されたものである。上記透孔５ｂは、例えば折板５を製造するメーカーで形成し、このように透孔５ｂが形成された折板５を現場に搬入する。
【００１３】
図１（Ｂ）の屋根パネル組立過程では、上記のように搬入された母屋・タイトフレーム組立部品３および折板５を、地組みにより組み立てる。すなわち、構築途中の建物１１の近傍等おいて、地面上で組み立てる。
この組立過程では、地面上に母屋・タイトフレーム組立部品３を、複数本平行に配置する。この場合に、母屋・タイトフレーム組立部品３は、完成された屋根パネル６における間隔で、１枚の屋根パネル分の本数だけ配置しておく。この平行に並べられた複数の各タイトフレーム２上に渡って長尺折版５を配置し、その波山部５ａの透孔５ｂに折版接合ボルト４を挿通して、ナット締め等により接合する。折板５の幅は、母屋・タイトフレーム組立部品３の長さの一部であり、折板５は母屋・タイトフレーム組立部品３の長さ方向に複数枚並べて配置する。図７は完成した屋根パネル６の概略平面図を示す。
【００１４】
図１（Ｃ）の積み重ね過程は、図３のように、屋根パネル６を複数積み重ね状態で保管する過程であり、この積み重ね過程で、上段の屋根パネル６の組立を行う。
すなわち、図３に示すように、最下段の屋根パネル６の上に、母屋・タイトフレーム組立部品３を載せるが、このとき、母屋・タイトフレーム組立部品３における母屋１のボルト逃がし孔１ｄに、下段の屋根パネル６における折版接合ボルト４を挿通する（図４参照）。これにより、折版接合ボルト４が邪魔とならずに、母屋・タイトフレーム組立部品３を積み上げることができる。この組上げた母屋・タイトフレーム組立部品３の上に折版５を載せて折版接合ボルト４にて接合する。
この作業を繰り返して、複数枚の屋根パネル６を組立てながら、これらを積み重ね状態とし、保管する。ある程度の段数、例えば４段程度に積まれると、その屋根パネル積載体の隣などで、再度、地面上での母屋・タイトフレーム組立部品３の配置から、屋根パネル６を組み立てながら積み上げる作業を繰り返す。
【００１５】
このように、下から２段目以上の各屋根パネル６は、下段の屋根パネル６上に各母屋・タイトフレーム組立部品３を載せ、その上に折版５を載せて、前記屋根パネル６を組み立てるため、積み重ねのための作業スペースが少なくて済み、また母屋・タイトフレーム組立部品３の配置間隔を定める作業も簡略化され、作業効率良く屋根パネル６の組み立ておよび積み重ね作業が行える。
【００１６】
なお、各屋根パネル６を１枚ずつ個別に組み立てて、折版接合ボルト４を各ボルト逃がし孔１ｄに挿通させて順次積み重ねるようにしても良い。また、この屋根パネル６の組み立て過程、および積み重ね過程は、地組に限らず、工場等で行っても良い。
【００１７】
図１（Ｄ）の屋根パネル建込み過程では、上記のように積み重ね保管された屋根パネル６を１枚ずつ持ち上げて建物１１の梁９上に据え付ける。この過程では、積み重ね保管された最上段の屋根パネル６の上に、折版接合ボルト４を利用して図５のように吊り治具７を取付ける。この吊り治具７を用い、ワイヤー８を介してクレーン等（図示せず）で屋根パネル６を揚重し、構築中の建物１１における梁９の上の所定の位置に、順次並べて据え付ける。
【００１８】
このとき、図６のように、隣合う屋根パネル６における折版５の側辺部同士を重ね合わせた状態で折版接合ボルト４により接合する。また、屋根パネル６における母屋１の端部を、梁９の上に工場で事前に固定された取合金物１０に、ボルト・ナット１０ａによって締結・固定する。折版５を接合した折版接合ボルト４の先端にはキャップナット４ａを螺着する。これら屋根パネル６の据付を所定の屋根施工部において順次行い、建物１１上の折版葺き屋根施工が完了する。
【００１９】
この方法の折版葺き屋根施工によると、屋根パネル６の単位でなされるから、従来のように構成部材毎にクレーン等で荷揚げして行う場合に比べて効率的である。また、建物１１の外壁や鉄骨の建方に引き続いて屋根パネル６を取り付けることになるから、工期が短縮され、現場での雨仕舞いも早く屋内作業を早く始めることができる。さらに、屋根パネル６の単位で解体することができるから、移設・再構築が容易である。
【００２０】
なお、折版５の波山部５ａおよびタイトフレーム２の波山部２ａの個数は図示のものに限定されないことは言うまでもない。また、母屋材１として、溝形鋼，リップ溝形鋼に限らず、Ｈ形鋼やその他各種の断面形状の鋼材が使用できる。
【図面の簡単な説明】
【００２１】
【図１】この発明の一実施形態に係る折版屋根の施工方法を示す工程説明図である。
【図２】この発明の一実施形態に係る折版屋根の施工方法における母屋・タイトフレーム組立部品の準備過程と屋根パネル組立過程を示す部分切欠斜視図である。
【図３】同屋根パネルの積み重ね過程を示す概念的正面図である。
【図４】図３におけるＡ部の拡大断面図である。
【図５】同屋根パネルを建物の梁上に据え付ける際の揚重の状態を示す図である。
【図６】同屋根パネルを建物の梁上に据え付ける屋根パネル建込み過程を示す概念的正面図である。
【図７】同施工方法で組み立てる屋根パネルの平面図である。
【符号の説明】
【００２２】
１…母屋材
１ｄ…ボルト逃がし孔
２…タイトフレーム
２ａ…波山部
３…母屋・タイトフレーム組立部品
４…折版接合ボルト
５…折版
６…屋根パネル
９…梁
１１…建物
【図１】
2008127789.tif 000003
【図２】
2008127789.tif 000004
【図３】
2008127789.tif 000005
【図４】
2008127789.tif 000006
【図５】
2008127789.tif 000007
【図６】
2008127789.tif 000008
【図７】
2008127789.tif 000009